(57)【要約】【課題】原動機を楽に背負い続けられ、背負っていた原動機を容易に降ろせること。【解決手段】背負い式刈払機は、原動機を有した背板１１を背負うための左右の背負いベルト２０，３０を備える。左の背負いベルト２０は、背板の上部に取付けられた肩ベルト２１と、背板の下部に取付けられた下ベルト２２と、肩ベルトと下ベルトとを分離可能に連結した連結部２３とを有する。肩ベルトは、背板を背負った作業者Ｍｎの肩Ｌｓから胸部Ｂｒにかけて掛けることが可能であり、心材がクッション材からなる。連結部は、解除操作部５２を有する第１連結部５１と、第１連結部に着脱可能な第２連結部５３とからなる。解除操作部は、第１連結部と第２連結部との連結状態を解除するときに、スイング操作する。第１連結部は、肩ベルトにおいて、作業者に接しない面に取付けられる。第２連結部は下ベルトに取付けられる。【選択図】図５
2011055774.tif 000002
【特許請求の範囲】
【請求項１】
刈刃を備えた操作杆を把持するとともに、前記刈刃を駆動するための原動機を背負う形式の背負い式刈払機において、
前記原動機を有した背板と、この背板を背負うための左右の背負いベルトとを備え、
この左右の背負いベルトの一方は、前記背板の上部に一端が取り付けられた肩ベルトと、前記背板の下部に一端が取り付けられた下ベルトと、これらの肩ベルトの他端と下ベルトの他端とを分離可能に連結した連結部とを有し、
前記肩ベルトは、前記背板を背負った作業者の肩から胸部にかけて掛けることが可能な長さに設定されるとともに、少なくとも心材がクッション材によって構成されており、
前記連結部は、解除操作部を有する第１連結部と、この第１連結部に対して着脱可能に連結する第２連結部とからなり、
前記解除操作部は、前記第１連結部に対する前記第２連結部の連結状態を解除するべく、前記作業者がスイング操作をすることが可能な部材であり、
前記第１連結部は、前記肩ベルトの表面において、前記背板を背負った前記作業者の身体に接する面に対し、反対側の面に取り付けられており、
前記第２連結部は、前記下ベルトに取り付けられていることを特徴とした背負い式刈払機。
【請求項２】
前記解除操作部は、前記肩ベルトにおいて、前記背板を背負った前記作業者の肩から胸部までに相当する部位に配置されており、前記肩ベルトから離れる方向にスイング操作されたときに前記連結状態を解除するべく、前記第１連結部に取り付けられるスイング基端部に対して、スイング先端部が上位に位置していることを特徴とした請求項１記載の背負い式刈払機。
【請求項３】
前記第１連結部は、前記肩ベルトに対し面ファスナによって取り付けられていることを特徴とした請求項１又は請求項２記載の背負い式刈払機。
【発明の詳細な説明】
【技術分野】
【０００１】
本発明は、刈刃を備えた操作杆を把持するとともに、刈刃を駆動するための原動機を背負う形式の背負い式刈払機に関する。
【背景技術】
【０００２】
刈払機の種類には、肩掛け式と背負い式がある。肩掛け式刈払機は、作業者における一方の肩に刈払機を吊り下げ、操作杆の途中に設けた操作ハンドルを握って上下左右に振ることにより、刈刃で雑草を刈るものである。一方、背負い式刈払機は、刈刃を駆動するための原動機を作業者が背負うものである。重量物である原動機を作業者が背負うので、作業者の腕や腰にかかる負担を、より軽減することができる。このような背負い式刈払機としては、例えば下記の特許文献１に記載された技術が知られている。
【０００３】
この特許文献１で知られている背負い式刈払機は、原動機を有した背板と、この背板を背負うための左右の背負いベルトと、操作杆を引っ掛けて支持するための支持板とを備えている。この支持板は、作業者の大腿部に当てられるように位置し、背板の下部にベルト及び連結部を介して連結される。この連結部は、ベルトを分離可能に連結するものであって、左右一対の係止ノブを、両側から手の親指と人差し指で挟み込むことにより、ベルトの連結状態を解除できる。
【０００４】
さらに、特許文献１で知られている背負い式刈払機は、各背負いベルトの長さを調整するための、長さ調整部を有する。作業者は、長さ調整部を調整することによって、背負いベルトの長さを自分の身体に合わせることができる。しかし、左右の背負いベルトが短くなるように調整（きつく設定）した場合には、身体と各背負いベルトとの間の隙間が少ないので、背負っていた原動機を降ろしずらい。一方、背負いベルトの長さが緩すぎると、背負っている原動機が身体の左右に振れやすくなる。
【０００５】
これに対し、左右の背負いベルトの一方に、上記連結部と同様の機構を設けることが考えられる。このようにすれば、作業者が自分の身体に合わせて、左右の背負いベルトを、きつく設定した場合であっても、連結部を解除することによって、背負っていた原動機を降ろすことができる。
【０００６】
しかし、背負いベルトに対して、単に連結部を設けたのでは、身体に連結部が食い込むことが考えられる。作業者が楽に原動機を背負った姿勢を続けられるようにするには、改良の余地がある。また、背負いベルトに対して、単に連結部を設けたのでは、連結部が作業者の身体における脇の下などに、入り込むことが考えられる。これでは、背負っていた原動機を降ろすときに、作業者が連結部の位置を確認するのに手間取る。
【先行技術文献】
【特許文献】
【０００７】
【特許文献１】特開平１０−９８９３０号公報
【発明の概要】
【発明が解決しようとする課題】
【０００８】
本発明は、作業者が原動機を楽に背負い続けることができるとともに、背負っていた原動機を容易に降ろすことができる技術を、提供することを課題とする。
【課題を解決するための手段】
【０００９】
請求項１に係る発明では、刈刃を備えた操作杆を把持するとともに、前記刈刃を駆動するための原動機を背負う形式の背負い式刈払機において、
前記原動機を有した背板と、この背板を背負うための左右の背負いベルトとを備え、
この左右の背負いベルトの一方は、前記背板の上部に一端が取り付けられた肩ベルトと、前記背板の下部に一端が取り付けられた下ベルトと、これらの肩ベルトの他端と下ベルトの他端とを分離可能に連結した連結部とを有し、
前記肩ベルトは、前記背板を背負った作業者の肩から胸部にかけて掛けることが可能な長さに設定されるとともに、少なくとも心材がクッション材によって構成されており、
前記連結部は、解除操作部を有する第１連結部と、この第１連結部に対して着脱可能に連結する第２連結部とからなり、
前記解除操作部は、前記第１連結部に対する前記第２連結部の連結状態を解除するべく、前記作業者がスイング操作をすることが可能な部材であり、
前記第１連結部は、前記肩ベルトの表面において、前記背板を背負った前記作業者の身体に接する面に対し、反対側の面に取り付けられており、
前記第２連結部は、前記下ベルトに取り付けられていることを特徴とする。
【００１０】
請求項２に係る発明では、前記解除操作部は、前記肩ベルトにおいて、前記背板を背負った前記作業者の肩から胸部までに相当する部位に配置されており、前記肩ベルトから離れる方向にスイング操作されたときに前記連結状態を解除するべく、前記第１連結部に取り付けられるスイング基端部に対して、スイング先端部が上位に位置していることを特徴とする。
【００１１】
請求項３に係る発明では、前記第１連結部は、前記肩ベルトに対し面ファスナによって取り付けられていることを特徴とする。
【発明の効果】
【００１２】
請求項１に係る発明は、左右の背負いベルトの一方を、肩ベルトと下ベルトとからなる二分割品とし、これらの肩ベルトと下ベルトとを連結部によって分離可能に連結し、肩ベルトの長さを、背板を背負った作業者の肩から胸部にかけて掛けることが可能な長さに設定し、肩ベルトの少なくとも心材をクッション材によって構成し、連結部における第１連結部を、肩ベルトにおいて、背板を背負った作業者の身体に接する面に対し、反対側の面に取付けたものである。
【００１３】
このため、作業者が自分の身体に合わせて、左右の背負いベルトを短くなるように調整（きつく設定）した場合であっても、連結部が身体に直接に接することはない。連結部が身体に食い込まないので、作業者は原動機を背負った姿勢を、長時間にわたって楽に続けることができるとともに、疲労感を軽減することができる。
しかも、少なくとも心材をクッション材によって構成された肩ベルトにより、連結部を安定して保持することができる。このため、連結部が作業者の脇の下に入り込まないので、作業者は連結部を解除操作するときに、連結部の位置を容易に確認することができる。従って、作業者は必要に応じて、速やかに且つ確実に連結部の解除操作を行うことができる。この結果、作業者は背負っている原動機を、速やかに且つ確実に外すことができる。
【００１４】
請求項２に係る発明では、肩ベルトにおいて、背板を背負った作業者の肩から胸部までに相当する部位に、解除操作部を配置している。このため、作業者は原動機を背負った姿勢で、解除操作部の位置を目視によって容易に確認することができる。
さらに、解除操作部のスイング基端部に対して、解除操作部のスイング先端部は上位に位置している。このため、作業者は手の指（特に親指）によって、解除操作部を極めて容易に且つ速やかに解除操作することができる。
このように、作業者は背負っている原動機を、必要に応じて一層速やかに且つ確実に外すことができる。
【００１５】
請求項３に係る発明では、肩ベルトに面ファスナによって第１連結部を取付けたので、肩ベルトに対し第１連結部を容易に位置決めして装着することが可能である。このため、作業者は、肩ベルトに対する第１連結部の向きを、好みに応じて自由に変えることができる。
【図面の簡単な説明】
【００１６】
【図１】本発明に係る背負い式刈払機の使用状態を示す説明図である。
【図２】図１に示された背板を正面から見た構成を示す図である。
【図３】図１に示された背板を背負った状態を示す図である。
【図４】図２に示された第１背負いベルトの詳細な構成を示す図である。
【図５】図３に示された連結部を解除操作している状態を示す図である。
【図６】図５に示された連結部の構成を示す断面図である。
【図７】図６に示された連結部の取付け構成を示す図である。
【発明を実施するための形態】
【００１７】
本発明を実施するための形態を添付図に基づいて以下に説明する。
【実施例】
【００１８】
実施例に係る背負い式刈払機について説明する。
図１に示すように、刈払機１０は、作業者Ｍｎが背負う背板１１（背当て板１１）と、背板１１の背面にフレーム１２を介して取り付けられた原動機１３と、原動機１３の出力軸にフレキシブルシャフト１４を介して一端を連結された駆動軸１５と、駆動軸１５の他端に連結された刈刃１６と、駆動軸１５を内部に回転可能に通されたパイプ状の操作杆１７とからなる。この刈払機１０は、刈刃１６を備えた操作杆１７を作業者Ｍｎが把持するとともに、刈刃１６を駆動するための原動機１３を作業者Ｍｎが背負う形式の背負い式刈払機である。
【００１９】
図１及び図２に示すように、原動機１３を有した背板１１は、作業者Ｍｎの背中から腰付近までにわたって当てる略平板状の部材であり、背当て面１１ａ（図２参照）には背板１１を背負うための左右の背負いベルト２０，３０を備えている。背板１１及び左右の背負いベルト２０，３０の組み合わせは、背負い具４０（背負い装置４０）をなす。
【００２０】
原動機１３は、駆動軸１５を駆動するための駆動源であり、例えばエンジンや電動モータからなる。原動機１３が発生した動力は、駆動軸１５を介して刈刃１６に伝達される。操作杆１７は、長手途中にループ状のハンドル１８及び操作部１９を備えている。
【００２１】
作業者Ｍｎは、両方の肩Ｌｓ，Ｒｓに左右の背負いベルト２０，３０を掛けて背板１１を背負い、身体の左右一方に操作杆１７を寄せてハンドル１８及び操作部１９を握り、操作杆１７を前後左右に振りながら、原動機１３によって刈刃１６を回転させることにより、雑草を刈ることができる。例えば、図１に示すように、作業者Ｍｎにおける身体の右側に操作杆１７を寄せた場合には、作業者Ｍｎは左手Ｌｈでハンドル１８を握るとともに、右手Ｒｈで操作部１９を握ることになる。
【００２２】
ここで、背板１１を背負った作業者Ｍｎの左肩Ｌｓに位置する左の背負いベルト２０のことを「第１背負いベルト２０」といい、作業者Ｍｎの右肩Ｒｓに位置する右の背負いベルト３０のことを「第２背負いベルト３０」ということにする。
【００２３】
図２及び図３に示すように、第１背負いベルト２０は、背板１１の上部１１ｂにおける左半部に一端２１ａが取り付けられた肩ベルト２１と、背板１１の下部１１ｃにおける左端に一端２２ａが取り付けられた下ベルト２２と、肩ベルト２１の他端２１ｂと下ベルト２２の他端２２ｂとを分離可能に連結した連結部２３と、下ベルト２２の長さを調整するための長さ調整部２４とからなる。肩ベルト２１は、図３に示すように、背板１１を背負った作業者Ｍｎの左肩Ｌｓから胸部Ｂｒにかけて掛けることが可能な長さに設定されている。
【００２４】
図４（ａ）は、図２に示された第１背負いベルト２０を展開して表している。図２及び図４（ａ）に示すように、肩ベルト２１は、主ベルト２５と副ベルト２６とからなる。主ベルト２５の表面において、作業者Ｍｎ（図３参照）の身体に接する面２５ａのことを「内面２５ａ」又は「接触面２５ａ」といい、この内面２５ａに対して反対側の面２５ｂのことを「外面２５ｂ」又は「非接触面２５ｂ」という。
【００２５】
図４（ｂ）は、図４（ａ）のｂ−ｂ線方向の断面構成を示している。主ベルト２５は、心材２７と、心材２７の周りを被服した被服材２８とからなる。さらに、主ベルト２５は、少なくとも心材２７がスポンジ等のクッション材によって構成されている。このクッション材については、図３に示す作業者Ｍｎが背板１１を安定して背負うことが可能で、且つ、背負った作業者Ｍｎが感じる圧迫感を軽減することが可能なように、大きさ（幅、厚み、長さ）や硬度が設定されている。このため、主ベルト２５は副ベルト２６よりも幅広に構成されている。
【００２６】
図２、図４（ａ）及び図４（ｂ）に示すように、副ベルト２６は、主ベルト２５よりも柔軟性を有したテープ状の部材であって、主ベルト２５の長手方向に沿うように延びている。肩ベルト２１の一端２１ａ及び長手方向の複数の部位において、副ベルト２６は、主ベルト２５に縫い込まれることによって、一体化されている。
【００２７】
図２に示すように、下ベルト２２は、副ベルト２６と同じ材料からなるテープ状の部材であって、副ベルト２６と概ね同じ幅、厚みに設定されている。手動で長さ調整部２４を調整することにより、下ベルト２２の長さを調整することができる。この結果、第１背負いベルト２０全体の長さを調整することができる。
【００２８】
図５（ａ）は、作業者Ｍｎが背負い具４０を背負った状態における、連結部２３の外観を示している。図５（ｂ）は、解除操作された状態の連結部２３の外観を示している。図６（ａ）は、連結された状態の連結部２３の断面構成を示している。図６（ｂ）は、解除された状態の連結部２３の断面構成を示している。
【００２９】
連結部２３は、第１連結部５１と、第１連結部５１に有している解除操作部５２と、第１連結部５１に対して着脱可能に連結する第２連結部５３とからなる。
【００３０】
図６（ａ），（ｂ）に示すように、第１連結部５１は、肩ベルト２１の他端２１ｂにおいて外面（つまり、主ベルト２５の外面２５ｂ）に取り付けられている。この第１連結部５１は、主ベルト２５の外面２５ｂに沿って位置する平板状の底板５１ａと、この底板５１ａの左右両端から起立した左右の縦板５１ｂ，５１ｂとからなる、略コ字状断面体である。底板５１ａは、副ベルト２６の下端近傍に位置する。
【００３１】
図７（ａ）は、肩ベルト２１に第１連結部５１が取り付けられた状態を示している。図６（ａ）及び図７（ａ）に示すように、底板５１ａの上端は、連結ベルト５４を介して副ベルト２６の長手途中に縫製によって首振り自在に取り付けられている。
【００３２】
金属製の底板５１ａにおける裏面５１ｃ（副ベルト２６に重ね合わせる面５１ｃ）には、面ファスナ５５が貼り付けられている。一方、副ベルト２６には、底板５１ａを重ね合わせる部位に面ファスナ５６が縫製によって取り付けられている。周知のことながら、面ファスナ５５，５６は、互いに重ね合わされることにより結合し合い、引き剥がされることにより離脱し合う、いわゆる着脱可能な部材である。
【００３３】
このため、副ベルト２６に底板５１ａを重ね合わせて、面ファスナ５５，５６同士を結合することにより、肩ベルト２１に底板５１ａを容易に位置決めして装着することが可能である。また、副ベルト２６に対し第１連結部５１を引っ張って、面ファスナ５５，５６同士を引き剥がすことにより、図７（ａ）に示すように肩ベルト２１から底板５１ａを容易に外すことが可能である。作業者Ｍｎ（図５（ａ）参照）は、図７（ｂ）に示すように、肩ベルト２１に対する第１連結部５１の向きを、好みに応じて自由に変えることができる。
【００３４】
図５〜図６に示すように、第１連結部５１の下端部において、左右の縦板５１ｂ，５１ｂ間にはヒンジ軸５７が掛け渡されている。解除操作部５２は、第１連結部５１に対する第２連結部５３の連結状態を解除するべく、作業者Ｍｎがスイング操作をすることが可能な部材である。詳しくは、解除操作部５２のスイング基端部５２ａは、ヒンジ軸５７にスイング可能に取り付けられている。さらに、解除操作部５２は、リターンスプリング５８によって、底板５１ａへ接近する方向（連結方向、ロック方向）に付勢されている。このため、解除操作部５２は、底板５１ａから離れる方向（図６（ａ）の矢印Ｐｕ方向）へのスイング操作が可能である。
【００３５】
第２連結部５３は、下ベルト２２における他端２２ｂに取り付けられた、平板状のタングからなる。この第２連結部５３は、解除操作部５２のロック用凸部５２ｂが嵌合可能なロック用溝部５３ａを有している。
【００３６】
連結部２３の作用は次の通りである。
今、図５（ａ），図６（ａ）に示すように、連結部２３は連結された状態にある。その後、解除操作部５２のスイング先端部５２ｃに親指Ｔｈを掛けて、解除方向（矢印Ｐｕ方向）にスイング操作する。すると、図６（ｂ）に示すように、ロック用凸部５２ｂがロック用溝部５３ａから外れる。この結果、図５（ｂ）に示すように、第１連結部５１から第２連結部５３が解除されて外れる。
【００３７】
図２及び図３に示すように、第２背負いベルト３０は、上記第１背負いベルト２０における連結部２３を備えていない。この第２背負いベルト３０は、背板１１の上部１１ｂにおける右半部に一端２１ａが取り付けられた肩ベルト２１と、背板１１の下部１１ｃにおける右端に一端２２ａが取り付けられた下ベルト２２と、下ベルト２２の長さを調整するための長さ調整部２４とからなる。
【００３８】
第２背負いベルト３０において、肩ベルト２１は、背板１１を背負った作業者Ｍｎの右肩Ｒｓから胸部Ｂｒにかけて掛けることが可能な長さに設定されている。この肩ベルト２１は、主ベルト２５と副ベルト２６とからなる。主ベルト２５及び副ベルト２６の構成は、第１背負いベルト２０における主ベルト２５及び副ベルト２６と同じ構成なので、説明を省略する。下ベルト２２の構成は、第１背負いベルト２０における下ベルト２２と概ね同じ構成なので、説明を省略する。
【００３９】
長さ調整部２４は、肩ベルト２１の他端２１ｂ、つまり副ベルト２６の端と下ベルト２２の他端２２ｂとを着脱可能に連結するとともに、手動で長さ調整部２４を調整することにより、下ベルト２２の長さを調整することができる。この結果、第２背負いベルト３０全体の長さを調整することができる。
【００４０】
ところで、図５（ａ），（ｂ）に示すように、作業者Ｍｎが背板１１を背負った状態において、第１背負いベルト２０の肩ベルト２１は、作業者Ｍｎの左肩Ｌｓから胸部Ｂｒを通って左の脇の下まで延びている。この場合に、解除操作部５２は、肩ベルト２１において、作業者Ｍｎの肩（実施例においては、左肩Ｌｓ）から胸部Ｂｒ（脇の下付近）までに相当する部位に、配置される。このように、解除操作部５２は、作業者Ｍｎが背板１１を背負ったときに、第１連結部５１において作業者Ｍｎの視界に入ることが可能な部位に位置している。つまり、作業者Ｍｎが第１背負いベルト２０の肩ベルト２１を目視したときに、同時に目視可能な位置に解除操作部５２が配置される。このため、作業者Ｍｎは原動機１３を背負った姿勢で、解除操作部５２の位置を目視によって容易に確認することができる。
【００４１】
さらに、解除操作部５２は、肩ベルト２１から離れる方向（図５（ａ）の矢印Ｐｕ方向）にスイング操作されたときに連結部２３の連結状態を解除するべく、第１連結部５１に取り付けられるスイング基端部５２ａに対して、スイング先端部５２ｃが上位に位置している。このため、作業者Ｍｎは手Ｒｈの指（特に親指Ｔｈ）によって、解除操作部５２を極めて容易に且つ速やかに解除操作することができる。
【００４２】
このように、作業者Ｍｎは背負っている原動機１３を、必要に応じて一層速やかに且つ確実に外すことができる。
【００４３】
以上の説明をまとめると次の通りである。
図５（ａ），（ｂ）背負い式刈払機１０は、左右の背負いベルト２０，３０の一方を、肩ベルト２１と下ベルト２２とからなる二分割品とし、これらの肩ベルト２１と下ベルト２２とを連結部２３によって分離可能に連結し、肩ベルト２１の長さを、背板１１を背負った作業者Ｍｎの左肩Ｌｓから胸部Ｂｒにかけて掛けることが可能な長さに設定し、肩ベルト２１の少なくとも心材２７（図４（ｂ）参照）をクッション材によって構成し、連結部２３における第１連結部５１を、肩ベルト２１において、背板１１を背負った作業者Ｍｎの身体に接する面２５ａ（図４（ｂ）参照）に対し、反対側の面２５ｂ（非接触面２５ｂ）に取付けたものである。
【００４４】
このため、作業者Ｍｎが自分の身体に合わせて、左右の背負いベルト２０，３０を短くなるように調整（きつく設定）した場合であっても、連結部２３が身体に直接に接することはない。連結部２３が身体に食い込まないので、作業者Ｍｎは原動機１３（図１参照）を背負った姿勢を、長時間にわたって楽に続けることができるとともに、疲労感を軽減することができる。
【００４５】
しかも、少なくとも心材２７（図４（ｂ）参照）をクッション材によって構成された肩ベルト２１により、連結部２３を安定して保持することができる。このため、連結部２３が作業者Ｍｎの脇の下に入り込まないので、作業者Ｍｎは連結部２３を解除操作するときに、連結部２３の位置を容易に確認することができる。従って、作業者Ｍｎは必要に応じて、速やかに且つ確実に連結部２３の解除操作を行うことができる。この結果、作業者Ｍｎは背負っている原動機１３（図１参照）を、速やかに且つ確実に外すことができる。
【００４６】
ところで、図１に示すように、連結部２３は、作業者Ｍｎに対して操作杆１７とは左右反対側に位置する関係となるように使用されることが好ましい。その理由は次の通りである。実施例においては、作業者Ｍｎの右側に操作杆１７が位置している。この操作杆１７は、駆動軸１５及び刈刃１６が組込まれているので比較的重い。これに対して、連結部２３は操作杆１７とは反対側の左側に位置している。作業者Ｍｎが原動機１３を背負った姿勢で、連結部２３を解除したときに、背負い具４０は右側へ重心が移動する。このため、背負い具４０は操作杆１７側へ外れやすい。
【００４７】
なお、本発明では、図２に示す左右の背負いベルト２０，３０のいずれか一方を、肩ベルト２１と下ベルト２２とからなる二分割品とし、これらの肩ベルト２１と下ベルト２２とを連結部２３によって連結した構成であればよい。例えば、右の背負いベルト３０に連結部２３を備えてもよい。
【産業上の利用可能性】
【００４８】
本発明の背負い具４０（背負い装置４０）は、原動機１３を背負う形式の背負い式刈払機に用いるのに好適である。
【符号の説明】
【００４９】
１０…背負い式刈払機、１１…背板、１１ｂ…上部、１１ｃ…下部、１３…原動機、１６…刈刃、１７…操作杆、２０，３０…背負いベルト、２１…肩ベルト、２１ａ…一端、２１ｂ…他端、２２…下ベルト、２２ａ…一端、２２ｂ…他端、２３…連結部、２５ａ…作業者の身体に接する面、２５ｂ…反対側の面、２７…心材、５１…第１連結部、５２…解除操作部、５２ａ…スイング基端部、５２ｃ…スイング先端部、５３…第２連結部、５５，５６…面ファスナ、Ｂｒ…胸部、Ｍｎ…作業者、Ｌｓ，Ｒｓ…肩。
【図１】
2011055774.tif 000003
【図２】
2011055774.tif 000004
【図３】
2011055774.tif 000005
【図４】
2011055774.tif 000006
【図５】
2011055774.tif 000007
【図６】
2011055774.tif 000008
【図７】
2011055774.tif 000009